(57)【要約】【課題】印刷配線板からコネクタハウジングが分離することを防止できる固定金具を提供する。【解決手段】固定金具４はコネクタハウジングを印刷配線板５に取り付ける。固定金具４は第１の平板部９と第２の平板部１０と連結部１１を備えている。第１の平板部９はコネクタハウジングに取り付けられる。第２の平板部１０は半田１３を用いたろう付けにより印刷配線板５に取り付けられる。連結部１１は第１の平板部９と第２の平板部１０とを連結している。第２の平板部１０の第１の平板部９寄りに縁１４は連結部１１より突出している。縁１４は連結部１１と第２の平板部とが連なる方向Ｋとこの方向Ｋに直交する方向Ｊとの双方に対し交差している。縁１４は連結部１１から離れるのにしたがって第２の平板部１０を徐々に幅を拡げる方向に傾斜している。【選択図】図４
2006073325.tif 000002
【特許請求の範囲】
【請求項１】
コネクタハウジングを印刷配線板に取り付けるための固定金具において、
前記コネクタハウジングの外壁と平行な状態で該コネクタハウジングの外壁に取り付けられる第１の平板部と、
前記印刷配線板上に重ねられて、該印刷配線板に取り付けられる第２の平板部と、
前記第１の平板部と前記第２の平板部とを連結する連結部と、を備え、
前記第２の平板部の第１の平板部寄りの縁は、
前記連結部より外方向に突出しているとともに、前記第２の平板部と前記連結部とが互いに連なりかつ前記第２の平板部の表面と平行な第１の方向と、この第１の方向に直交しかつ前記第２の平板部の表面と平行な第２の方向と、の双方と交差し、かつ前記連結部から離れるのにしたがって前記第２の平板部を徐々に拡げる方向に傾斜しているとともに、
前記第２の平板部と前記印刷配線板との間にろうが充填されかつ該ろうが前記第２の平板部の外縁と前記印刷配線板とに亘って連なった格好で、前記コネクタハウジングを前記印刷配線板に取り付けることを特徴とする固定金具。
【請求項２】
請求項１に記載の固定金具と、
前記固定金具が取り付けられ、かつ該固定金具により印刷配線板に取り付けられるコネクタハウジングと、
を備えた特徴とする請求項１記載のコネクタ。
【発明の詳細な説明】
【技術分野】
【０００１】
本発明は、電線の接続等に使用されるコネクタのコネクタハウジングを印刷配線板に取り付ける際に用いられる固定金具と、該固定金具を備えたコネクタに関する。
【背景技術】
【０００２】
移動体としての自動車には、搭載される種々のランプや種々のモータなどの電子機器にバッテリなどの電源から電力を供給するためにワイヤハーネスが配索されている。前記ワイヤハーネスは、複数の電線と、これらの電線それぞれの端部に取り付けられたコネクタなどを備えている。
【０００３】
電線は、導電性の芯線と、絶縁性の被覆部とを備えた所謂被覆電線である。コネクタは、導電性の端子金具と、絶縁性の絶縁体としてのコネクタハウジングとを備えている。端子金具は、導電性の板金を折り曲げて形成され、電線の端末に取り付けられて該電線の芯線と電気的及び機械的に接続する。
【０００４】
コネクタハウジングは、絶縁性の合成樹脂からなり箱状に形成されている。コネクタハウジングには、端子収容室が複数設けられている。端子収容室は、コネクタハウジングを貫通した空間である。端子収容室には、端子金具に係止する係止アームが設けられている。
【０００５】
前述した電子機器では、印刷配線板に取り付けられたコネクタ（例えば、特許文献１参照）が用いられる。この種のコネクタは、印刷配線板１０４（図９に示す）に取り付けられるコネクタハウジングと、コネクタハウジング内に収容される端子金具と、固定金具１００（図９に示す）と、を備えている。コネクタハウジングは、筒状に形成されている。端子金具は、導電性の金属からなり棒状に形成されている。端子金具は、一端部がコネクタハウジング内に位置し、他端部がコネクタハウジングを貫通して、印刷配線板１０４に取り付けられている。端子金具は、印刷配線板１０４の配線パターンと、電気的に接続される。
【０００６】
固定金具１００は、図９に例示するように、導電性の板金からなり、第１の平板部１０１と、第２の平板部１０２と、連結部１０３とを一体に備えている。第１の平板部１０１は、その表面がコネクタハウジングの外壁面と平行な状態で、該コネクタハウジングに取り付けられる。第２の平板部１０２は、その表面が印刷配線板１０４の表面と平行な状態で、該印刷配線板１０４に重ねられて取り付けられる。連結部１０３は、第１の平板部１０１と、第２の平板部１０２とを連結している。
【０００７】
第２の平板部１０２の第１の平板部１０１寄りの縁１０２ａは、図１０に示すように、連結部１０３より外方向に突出している。前記縁１０２ａは、第２の平板部１０２と連結部１０３とが連なる方向でかつ第２の平板部１０２の表面と平行な方向（図１０中に矢印Ｋ１で示す）と、直交している方向に延びている。
【０００８】
前述した固定金具１００は、第１の平板部１０１がコネクタハウジングに取り付けられ、第２の平板部１０２と印刷配線板１０４との間にろうとしての半田１０５が充填され、かつ該半田１０５が第２の平板部１０２の外縁と前記印刷配線板１０４とに亘って連なった格好で、コネクタハウジングを印刷配線板１０４に取り付ける。
【特許文献１】特開平１０−６４６０８号公報
【発明の開示】
【発明が解決しようとする課題】
【０００９】
前述した従来の固定金具１００で、コネクタハウジングを印刷配線板１０４に取り付けた際に、コネクタハウジングに印刷配線板１０４から引き剥がす方向の力（図９中に矢印Ｈ１で示す）が加わると、この力は、前述した固定金具１００の第２の平板部１０２の縁１０２ａ全体に加わる。すると、前記縁１０２ａのうち最も半田１０５の機械的な強度が低い箇所に、応力が集中して、この最も機械的な強度の低い箇所の半田１０５が破断して、印刷配線板１０４からコネクタハウジングが容易に分離してしまう傾向であった。
【００１０】
したがって、本発明の目的は、印刷配線板からコネクタハウジングが分離することを防止できる固定金具を提供することにある。
【課題を解決するための手段】
【００１１】
前記課題を解決し目的を達成するために、請求項１に記載の本発明の固定金具は、コネクタハウジングを印刷配線板に取り付けるための固定金具において、前記コネクタハウジングの外壁と平行な状態で該コネクタハウジングの外壁に取り付けられる第１の平板部と、前記印刷配線板上に重ねられて、該印刷配線板に取り付けられる第２の平板部と、前記第１の平板部と前記第２の平板部とを連結する連結部と、を備え、前記第２の平板部の第１の平板部寄りの縁は、前記連結部より外方向に突出しているとともに、前記第２の平板部と前記連結部とが互いに連なりかつ前記第２の平板部の表面と平行な第１の方向と、この第１の方向に直交しかつ前記第２の平板部の表面と平行な第２の方向と、の双方と交差し、かつ前記連結部から離れるのにしたがって前記第２の平板部を徐々に拡げる方向に傾斜しているとともに、前記第２の平板部と前記印刷配線板との間にろうが充填されかつ該ろうが前記第２の平板部の外縁と前記印刷配線板とに亘って連なった格好で、前記コネクタハウジングを前記印刷配線板に取り付けることを特徴としている。
【００１２】
請求項２に記載の本発明のコネクタは、請求項１に記載の固定金具と、前記固定金具が取り付けられ、かつ該固定金具により印刷配線板に取り付けられるコネクタハウジングと、を備えたことを特徴としている。
【００１３】
請求項１に記載された本発明の固定金具によれば、第２の平板部の第１の平板部寄りの縁が、第１の方向と第２の方向との双方に交差しかつ連結部から離れるのにしたがって徐々に幅を広げる方向に傾斜している。このため、コネクタハウジングに印刷配線板から引き剥がす方向に力を加えると、縁と連結部との交差する箇所に応力が集中する。
【００１４】
また、縁が前述した方向に傾斜しているので、この縁と連結部との交差する箇所にろうが溜まるとともに、前記応力の方向のろうの厚みを見かけ上増やすこととなる。
【００１５】
請求項２に記載された本発明のコネクタによれば、請求項１に備えた固定金具を備えているので、コネクタハウジングに印刷配線板から引き剥がす方向に力を加えると、第２の平板部の縁と連結部との交差する箇所に応力が集中する。また、縁が前述した方向に傾斜しているので、この縁と連結部との交差する箇所にろうが溜まるとともに、前記応力の方向のろうの厚みを見かけ上増やすこととなる。
【発明の効果】
【００１６】
以上説明したように請求項１に記載の本発明は、コネクタハウジングに印刷配線板から引き剥がす方向に力を加えると、縁と連結部との交差する箇所に応力が集中する。また、縁が前述した方向に傾斜しているので、この縁と連結部との交差する箇所にろうが溜まるとともに、前記応力の方向のろうの厚みを見かけ上増やすこととなる。
【００１７】
このため、コネクタハウジングに印刷配線板から引き剥がす方向に力を加えた際に、応力が集中する箇所のろうの機械的な強度を向上できるとともに、機械的な強度の低い箇所に応力が集中することを防止できる、したがって、ろうが破断して、印刷配線板からコネクタハウジングが容易に分離することを防止できる。
【００１８】
請求項２に記載の本発明は、請求項１に記載の固定金具を備えているので、コネクタハウジングに印刷配線板から引き剥がす方向に力を加えた際に、応力が集中する箇所のろうの機械的な強度を向上できるとともに、機械的な強度の低い箇所に応力が集中することを防止できる、したがって、ろうが破断して、印刷配線板からコネクタハウジングが容易に分離することを防止できる。
【発明を実施するための最良の形態】
【００１９】
本発明の一実施形態にかかるコネクタ１を、図１ないし図８に基づいて説明する。コネクタ１は、図１に示す相手側のコネクタ３０と嵌合する。
【００２０】
相手側のコネクタ３０は、図１に示すように、カバー３１と、プレート状ハウジング３２と、圧接端子３３とを備えている。カバー３１は、平板状に形成されかつコネクタ１と嵌合するためのロック部３４と、プレート状ハウジング３２と固定するための係止部３５とを備えている。
【００２１】
プレート状ハウジング３２は、図示例では、二つ設けられている。絶縁性の合成樹脂からなり平板状に形成されている。プレート状ハウジング３２は、圧接端子３３を収容する複数の端子収容溝３６と、プレート状ハウジング３２同士やカバー３１と固定するための係止部３７とを備えている。
【００２２】
前述した相手側のコネクタ３０は、それぞれのプレート状ハウジング３２の端子収容溝３６に圧接端子３３を収容し、該圧接端子３３に電線を圧接する。そして、カバー３１と、二つのプレート状ハウジング３２とを重ねて、係止部３５，３７により、これらを互いに固定する。こうして、相手側のコネクタ３０が組み立てられる。
【００２３】
コネクタ１は、図１及び図２に示すように、コネクタハウジング２と、複数の端子金具３と、固定金具４を備え、印刷配線板５に取り付けられている。なお、以下、図１中の矢印Ｘを幅方向、矢印Ｘと直交しかつ印刷配線板５の表面と平行な矢印Ｙを長手方向、矢印Ｘ，Ｙ双方と直交する矢印Ｚを厚み方向とする。
【００２４】
コネクタハウジング２は、絶縁性の構成樹脂からなり、有底筒状に形成されている。コネクタハウジング２の幅方向の両縁には、金具取付部６が設けられている。金具取付部６は、固定金具４を取り付ける。コネクタハウジング２は、固定金具４により印刷配線板５に取り付けられる。
【００２５】
印刷配線板５は、図２に示すように、絶縁性の合成樹脂からなる基板７と、この基板７の表面に形成された図示しない配線パターンと、取付部８とを備えている。配線パターンは、銅または銅合金からなり、箔状に形成されて基板７上に貼り付けられている。配線パターンは、予め定められたパターン通りに形成されている。
【００２６】
取付部８は、金属からなり、箔状に形成されて基板７上に貼り付けられている。取付部８の平面形状は、矩形状である。取付部８は、金具取付部６に取り付けられた固定金具４の後述する第２の平板部１０が重なる。
【００２７】
また、コネクタハウジング２の内面には、相手側のコネクタ３０のコネクタハウジング２と嵌合用の図示しないロック突起が設けられている。
【００２８】
端子金具３は、導電性の金属からなり、棒状に形成されている。端子金具３は、側方からみてく字状をなすように、中央で屈曲されている。端子金具３は、一端部がコネクタハウジング２内に位置し、他端部がコネクタハウジング２外に突出した格好でコネクタハウジング２に取り付けられる。端子金具３は、コネクタハウジング２が印刷配線板５に取り付けられると、印刷配線板５の配線パターンと電気的及び機械的に接続する。
【００２９】
固定金具４は、図３に示すように、板金などからなり、側方からみてく字状をなすように、中央で屈曲されている。固定金具４は、第１の平板部９と、第２の平板部１０と、第１の平板部９と第２の平板部１０との間に配されかつこれらを互いに連結する連結部１１とを一体に備えている。第１の平板部９は、平面形状が矩形状に形成されている、第１の平板部９は、その両表面がコネクタハウジング２の外壁面と平行な状態で、金具取付部６則ちコネクタハウジング２に取り付けられる。
【００３０】
第２の平板部１０は、第１の平板部９に対し９０度屈曲した格好になっている。第２の平板部１０には、孔１２が貫通している。第２の平板部１０は、印刷配線板５の取付部８に重ねられて、ろうとしての半田１３（図４ないし図６に示す）を用いたろう付けにより、取付部８則ち印刷配線板５に取り付けられる。なお、図４では、コネクタハウジング２を省略している。
【００３１】
このため、第２の平板部１０は、印刷配線板５に取り付けられると、図６に示すように、印刷配線板５の取付部８との間にろうとしての半田１３が充填され、かつ、図４及び図５に示すように、ろうとしての半田１３が第２の平板部１０の外縁と印刷配線板５の取付部８とに亘って連なった格好となる。こうして、固定金具４は、コネクタハウジング２を印刷配線板５に取り付ける。また、第２の平板部１０の外縁と印刷配線板５の取付部８とに亘って連なった格好のろうとしての半田１３は、断面三角形状に形成されている。
【００３２】
また、第２の平板部１０の連結部１１則ち第１の平板部９寄りの縁１４は、図５に示すように、連結部１１から外方向に突出している。また、前記縁１４は、第２の平板部１０と連結部１１とが互いに連なりかつ第２の平板部１０の表面と平行な第１の方向としての矢印Ｋと、この矢印Ｋに対し直交しかつ第２の平板部１０の表面と平行な第２の方向としての矢印Ｊと、の双方に対し交差する方向に延びている。また、縁１４は、連結部１１から離れて第２の平板部１０に近づくのにしたがって、第２の平板部１０を徐々に拡げる方向に傾斜している。
【００３３】
前述した構成のコネクタ１は、以下のように、組み立てられて、印刷配線板５に取り付けられる。まず、コネクタハウジング２に端子金具３を取り付けるとともに、金具取付部６に固定金具４の第１の平板部９を取り付ける。第２の平板部１０を取付部８に重ね、第２の平板部１０と取付部８とをろうしての半田１３を用いたろう付けにより互いに固定し、端子金具３の他端部と配線パターンとをろう付けにより互いに固定する。このように、コネクタ１は、印刷配線板５に取り付けられる。
【００３４】
本実施形態によれば、第２の平板部１０の第１の平板部９寄りの縁１４が、矢印Ｋ，Ｊ双方に交差しかつ連結部１１則ち第１の平板部９から離れるのにしたがって第２の平板部１０を徐々に幅を広げる方向に傾斜している。このため、印刷配線板５の表面に対し直交するコネクタハウジング２に印刷配線板５から引き剥がす方向（図４中の矢印Ｈで示す）の力を加えると、縁１４と連結部１１との交差する箇所に応力が集中する。
【００３５】
また、縁１４が前述したように傾斜しているので、この縁１４と連結部１１との交差する箇所に半田１３が溜まるとともに、前記引き剥がす方向Ｈの半田１３の厚みＴ（図７及び図８に示す）を、従来の固定金具１００の半田１０５の厚みＴａ（図７、図８及び図１０に示す）より見かけ上増やすこととなる。
【００３６】
このため、コネクタハウジング２に印刷配線板５から引き剥がす方向Ｈに力を加えた際に、応力が集中する箇所の半田１３の機械的な強度を向上できるとともに、半田１３の機械的な強度の低い箇所に応力が集中することを防止できる、したがって、半田１３が破断して、印刷配線板５からコネクタハウジング２が容易に分離することを防止できる。
【００３７】
前述した実施形態では、コネクタハウジング２が導電性の端子金具３を収容するコネクタ１を示している。しかしながら、本発明では、コネクタハウジング２が光ファイバの端末に取り付けられるフェルールを収容する所謂光コネクタに適用しても良い。要するに、本発明では、印刷配線板５に取り付けるコネクタ１であれば、如何なるコネクタにも適用することができる。また、前述した実施形態では、ろうとして半田１３を用いている。本発明は、半田１３以外の種々のろうを用いても良いことは勿論である。
【００３８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３９】
【図１】本発明の一実施形態にかかるコネクタと相手側のコネクタの斜視図である。
【図２】図１に示されたコネクタの一部を分解して示す斜視図である。
【図３】図２に示されたコネクタの固定金具を示す斜視図である。
【図４】図３に示された固定金具が印刷配線板に取り付けられた状態を示す斜視図である。
【図５】図４中のＶ−Ｖ線に沿う断面図である。
【図６】図５中のＶＩ−ＶＩ線に沿う断面図である。
【図７】図５中のＶＩＩ部を拡大して示す平面図である。
【図８】図５中のＶＩＩ部に示された固定金具の第２の平板部の縁に連なる半田を拡大して示す斜視図である。
【図９】従来の固定金具が印刷配線板に取り付けられた状態を示す斜視図である。
【図１０】図９中のＸ−Ｘ線に沿う断面図である。
【符号の説明】
【００４０】
１  コネクタ
２  コネクタハウジング
４  固定金具
５  印刷配線板
９  第１の平板部
１０  第２の平板部
１１  連結部
１３  半田（ろう）
１４  縁
【図１】
2006073325.tif 000003
【図２】
2006073325.tif 000004
【図３】
2006073325.tif 000005
【図４】
2006073325.tif 000006
【図５】
2006073325.tif 000007
【図６】
2006073325.tif 000008
【図７】
2006073325.tif 000009
【図８】
2006073325.tif 000010
【図９】
2006073325.tif 000011
【図１０】
2006073325.tif 000012